(57)【要約】  少なくとも周波数帯域の第１の組３２０において第１の通信プロトコルに従って動作するワイヤレス装置２００による通信のシステム及び方法６００は、周波数帯域の第１の組３２０と少なくとも部分的に重なる周波数帯域の第２の組３１０において第２の通信プロトコルに従って動作する第２のワイヤレス装置の存在を検出するためのサイレント期間を提供する。
2010512706.tif 000002
【特許請求の範囲】
【請求項１】
少なくとも周波数帯域の第１の組において第１の通信プロトコルに従って動作する第１のワイヤレス装置による通信方法であって、前記第１の組の前記周波数帯域の１又は複数が、第２のワイヤレス装置が第２の通信プロトコルに従って動作する１又は複数の周波数帯域の第２の組の少なくとも一部と重なっている、方法であって、
（１）時間サイクルを複数のサブサイクルに分けるステップであって、各サブサイクルは、前記第２のワイヤレス装置が前記第２の通信プロトコルに従って第１の信号を受信し、前記第２の通信プロトコルに従って第２の信号を送信するに十分長い期間を有する、ステップと、
（２）前記サブサイクルの各々において、前記第１のワイヤレス装置に利用可能な複数の論理チャネルのうち１つを選択するステップであって、各論理チャネルは、前記第１の組の前記周波数帯域のサブセット中を周波数ホッピングするための対応するホッピングシーケンスを用いるものである、ステップと、
（３）前記サブサイクルの各々において、当該サブサイクルのために選択された前記論理チャネルを使用して、前記第１の通信プロトコルに従って前記第１のワイヤレス装置から信号を送信するステップと、
（４）複数の時間サイクルにわたって、前記ステップ（１）乃至（３）を繰り返すステップと、
を含み、各時間サイクルにおいて、前記周波数帯域の第２の組の少なくとも一部と重なる前記第１の組の各周波数帯域は、前記サブサイクルの少なくとも１つにおいて選択される前記論理チャネルの少なくとも１つによって用いられる前記ホッピングシーケンスの少なくとも１つにおいて、除外される、方法。
【請求項２】
各サブサイクルにおいて、前記選択される論理チャネルは、前記第１の組の前記周波数帯域の少なくとも１つを除外するホッピングシーケンスを用いる、請求項１に記載の方法。
【請求項３】
各サブサイクルにおいて、前記選択される論理チャネルは、前記第１の組の前記周波数帯域のうち対応するものを除外するホッピングシーケンスを用いる、請求項１に記載の方法。
【請求項４】
各時間サイクルにわたって、前記第１の組の前記周波数帯域の各々は、前記サブサイクルの少なくとも１つにおいて選択される前記論理チャネルの少なくとも１つによって用いられるホッピングシーケンスの少なくとも１つにおいて除外されている、請求項１に記載の方法。
【請求項５】
各サブサイクルにおいて前記第１のワイヤレス装置に利用可能な複数の論理チャネルのうち１つを選択する前記ステップは、前記利用可能な論理チャネルのうち、前記第１の組の最も多くの周波数帯域を含むサブセット中をホッピングするホッピングシーケンスを用いるものを選択することを含む、請求項１に記載の方法。
【請求項６】
前記周波数帯域の第１の組は、３つの周波数帯域を含み、前記時間サイクルは、各々が少なくとも２００ミリ秒の長さを有する複数のサブサイクルに分けられ、各時間サイクルは、０．９秒乃至１．０秒の長さを有する、請求項１に記載の方法。
【請求項７】
利用可能な論理チャネルの数は１０である、請求項６に記載の方法。
【請求項８】
前記利用可能な論理チャネル及びそれらの対応するホッピングシーケンスは、
2010512706.tif 000004
に従う、請求項７に記載の方法。
【請求項９】
各サブサイクルが、前記第１の通信プロトコルに従って５つのスーパーフレームを有する、請求項６に記載の方法。
【請求項１０】
前記第１のワイヤレス装置が、各周波数ホッピング中、１つの直交周波数分割多重化シンボルを送信する、請求項１に記載の方法。
【請求項１１】
少なくとも周波数帯域の第１の組において第１の通信プロトコルに従って通信するように適応される第１のワイヤレス装置であって、前記第１の組の前記周波数帯域の１又は複数は、第２のワイヤレス装置が第２の通信プロトコルに従って通信する１又は複数の周波数帯域の第２の組の少なくとも一部と重なっている、装置であって、
受信器と、
送信器と、
前記受信器及び前記送信器に動作可能に接続される少なくとも１つのアンテナと、
を有し、前記第１のワイヤレス装置は、
（１）時間サイクルを複数のサブサイクルに分ける処理であって、各サブサイクルは、前記第２のワイヤレス装置が前記第２の通信プロトコルに従って第１の信号を受信し、前記第２の通信プロトコルに従って第２の信号を送信するに十分長い期間を有する、処理と、
（２）前記サブサイクルの各々において、前記第１のワイヤレス装置に利用可能な複数の論理チャネルのうち１つを選択する処理であって、各論理チャネルは、前記第１の組の前記周波数帯域のサブセット中を周波数ホッピングするための対応するホッピングシーケンスを用いるものである、処理と、
（３）前記サブサイクルの各々において、当該サブサイクルのために選択された前記論理チャネルを使用して、前記第１の通信プロトコルに従って信号を送信する処理と、
（４）複数の時間サイクルにわたって前記ステップ（１）乃至（３）を繰り返す処理と、
を行い、各時間サイクルにおいて、前記周波数帯域の第２の組の少なくとも一部と重なる前記第１の組の各周波数帯域は、前記サブサイクルの少なくとも１つにおいて選択される前記論理チャネルの少なくとも１つによって用いられる前記ホッピングシーケンスの少なくとも１つにおいて、除外される、装置。
【請求項１２】
各サブサイクルにおいて、前記選択される論理チャネルは、前記第１の組の前記周波数帯域の少なくとも１つを除外するホッピングシーケンスを用いる、請求項１１に記載の装置。
【請求項１３】
各サブサイクルにおいて、前記選択される論理チャネルは、前記第１の組の前記周波数帯域の対応するものを除外するホッピングシーケンスを用いる、請求項１１に記載の装置。
【請求項１４】
各時間サイクルにわたって、前記第１の組の前記周波数帯域の各々は、前記サブサイクルの少なくとも１つにおいて選択される前記論理チャネルの少なくとも１つによって用いられる前記ホッピングシーケンスの少なくとも１つにおいて、除外される、請求項１１に記載の装置。
【請求項１５】
各サブサイクルにおいて前記第１のワイヤレス装置に利用可能な複数の論理チャネルを選択する前記処理は、前記利用可能な論理チャネルのうち、前記第１の組の最も多くの周波数帯域を含むサブセット中をホッピングするホッピングシーケンスを用いるものを選択することを含む、請求項１１に記載の装置。
【請求項１６】
前記周波数帯域の第１の組は、３つの周波数帯域を有し、前記時間サイクルは、各々が少なくとも２００ミリ秒の長さを有する複数のサブサイクルに分けられ、各時間サイクルは、０．９秒乃至１．０秒の長さを有する、請求項１１に記載の装置。
【請求項１７】
利用可能な論理チャネルの数は１０である、請求項１６に記載の装置。
【請求項１８】
前記利用可能な論理チャネル及びそれらの対応するホッピングシーケンスは、
2010512706.tif 000005
に従う、請求項１７に記載の装置。
【請求項１９】
各サブサイクルは、前記第１の通信プロトコルに従って５つのスーパーフレームを有する、請求項１６に記載の装置。
【請求項２０】
前記第１のワイヤレス装置が、各周波数ホッピング中、１つの直交周波数分割多重化シンボルを送信する、請求項１１に記載の装置。
【発明の詳細な説明】
【技術分野】
【０００１】
本願は、２００６年１２月１２日出願の米国暫定特許出願第６０／８６９，６１９号の３５Ｕ．Ｓ．Ｃ§１１９（ｅ）下、優先権主張し、その内容全体が、参照によってここに盛り込まれるものとする。
【０００２】
本発明は、ワイヤレス通信の分野に関し、特に、他のワイヤレスシステムにおいて動作する他のワイヤレス通信装置の存在を検出し、それらとの干渉を回避するためのサイレント期間を提供するワイヤレス通信装置及び通信ネットワークにおけるワイヤレス通信方法に関する。
【背景技術】
【０００３】
新しいワイヤレス通信サービス及びシステムの要求が拡大し続けるにつれて、これらの新しいワイヤレスシステムのために適当な未使用の周波数スペクトルを識別するのがより困難になっている。一方で、多くの状況において、現存するサービス及びシステムに以前に割り当てられたスペクトルは、いくつかの地理的区域において時間期間を延ばすために実際には使われていないのが実情である。従って、新しいワイヤレス通信サービス及びシステムのために、以前に割り当てられた周波数スペクトルの用途を決めなおすことが、一般的になっている。
【発明の概要】
【発明が解決しようとする課題】
【０００４】
しかしながら、概して、新しいワイヤレス装置が以前に割り当られた周波数帯域において動作することを許される場合、これらの新しいワイヤレス装置が、これらの周波数帯域の既存のユーザを干渉から保護する要求がある。この状況の１つの例は、ＷｉＭｅｄｉａウルトラワイドバンド（ＵＷＢ）通信プロトコルに従って動作するワイヤレス通信装置の開発によって示される。
【０００５】
特に、検出及び回避（ＤＡＡ、detection and avoidance）は、ヨーロッパ及び日本の国における規制要求を満たすために、３―４ＧＨｚからの周波数スペクトルで動作するＵＷＢワイヤレス装置にとってそれらの国では必須である。ＤＡＡの主な目的は、ＵＷＢ装置がこの周波数スペクトルにおいて動作する近傍の既存装置を検出し、ＵＷＢワイヤレス装置によって引き起こされる潜在的な干渉から既存装置を保護するための適当な手段を採用することを可能にすることであり、その逆も同様である。
【０００６】
特に、台頭しつつあるワールドワイドなＷｉＭａｘ通信プロトコルに従って動作する既存のワイヤレス装置は、ＵＷＢワイヤレス装置からの干渉によって影響を及ぼされうる。ＷｉＭａｘネットワークにおいて、いわゆるＷｉＭａｘ加入者装置は、それがまずＷｉＭａｘ基地局から「ダウンリンク」信号を受け取るまで、「アップリンク」信号を送信することができない。ＷｉＭａｘ加入者装置が、激しいデータトラヒックを伴う１又は複数のＵＷＢワイヤレス装置の近傍に、及び／又はＷｉＭａｘ基地局のカバレージエリアのはずれに、位置する場合、ＷｉＭａｘ加入者装置は、ＷｉＭａｘ基地局の信号を受け取ることができないことがある。その場合、ＷｉＭａｘ加入者装置は、アップリンク送信を開始することができない。ＷｉＭａｘ加入者装置からのアップリンク送信がない場合、いかなる近傍のＵＷＢワイヤレス装置も、ＷｉＭａｘ加入者装置を検出して、それとの干渉を回避することができない。それゆえ、これは循環問題になる。
【０００７】
この問題の１つの解決策は、ＵＷＢワイヤレス装置の送信にサイレント期間を挿入することであり、それにより、任意の近傍のＷｉＭａｘ加入者装置は、サイレント期間中、ＷｉＭａｘ基地局からダウンリンク信号を検出し、リンクを確立するためにアップリンク信号によって応答し、それが、任意の近傍のＵＷＢワイヤレス装置によって検出されることができる、いくつかの機会を少なくとも有する。
【０００８】
図１は、ＵＷＢ送信におけるサイレント期間を示している。図１は、各時間期間１００、Ｔｔｏｔａｌにおいて、すべてのＵＷＢ装置が、時間間隔１１０、Ｔｓｉｌｅｎｔの間どのようにサイレントのままでなければならないかを示している。ＷｉＭａｘ加入者装置へのＵＷＢワイヤレス装置の影響を最小限にするために、また、ＷｉＭａｘ加入者装置がＷｉＭａｘ基地局からのダウンリンク信号を「聞き」、近傍のＵＷＢワイヤレス装置によって検出されることができるアップリンク信号を送信することができることを確実にするために、Ｔｓｉｌｅｎｔは、約２５０〜３００ｍｓでなければならず、Ｔｔｏｔａｌは、約９００ｍｓでなければならないことを実験が示している。
【０００９】
残念ながら、２５０〜３００ｍｓのサイレント期間は、ＵＷＢワイヤレス装置の動作に対して重い負の影響をもつ。第１に、ＷｉＭｅｄｉａ通信プロトコルを使用するＵＷＢワイヤレス装置は、ネイバー装置によって送信される３より多くの連続的なビーコンを失ってはならない。失った場合、現在のＷｉＭｅｄｉａ仕様に従って、ＵＷＢ装置は、このネイバー装置が消えたと結論を下さなければならない。ＵＷＢ装置からの２つの連続的なビーコン送信の間の時間間隔が、約６５ミリ秒であるとすると、ビーコン間の６５ミリ秒より４倍大きい２５０〜３００ミリ秒のサイレント期間は、ビーコンの通常の動作を中断する。加えて、データ送信は、サイレント期間の間は保留されなければならず、これは、いくつかのＵＷＢアプリケーションのサービス品質（ＱｏＳ）要求を容易に危うくしうる。
【００１０】
従って、他のワイヤレス通信システムにおいて同じ周波数スペクトルで動作する他のワイヤレス通信装置の存在を検出して、それらとの干渉を回避するためのサイレント期間を提供する、ワイヤレス通信装置及びワイヤレス通信システムにおけるワイヤレス通信方法を提供することが望まれる。特に、同じ周波数スペクトルで動作する近傍のＷｉＭａｘ加入者装置の存在を検出し、それらとの干渉を回避するためのサイレント期間を提供するＵＷＢワイヤレス装置及び対応する動作方法を提供することが望まれる。
【課題を解決するための手段】
【００１１】
本発明の１つの見地において、少なくとも周波数帯域の第１の組において第１の通信プロトコルに従って動作する第１のワイヤレス装置による通信方法であって、第１の組の１又は複数の周波数帯域が、第２のワイヤレス装置が第２の通信プロトコルに従って動作する１又は複数の周波数帯域の第２の組の少なくとも一部と重なっている、方法が提供される。方法は、（１）時間サイクルを複数のサブサイクルに分けるステップであって、各サブサイクルは、第２のワイヤレス装置が第２の通信プロトコルに従って第１の信号を受信し、第２の通信プロトコルに従って第２の信号を送信するに十分長い期間を有する、ステップと、（２）サブサイクルの各々において、第１のワイヤレス装置に利用可能な複数の論理チャネルのうち１つを選択するステップであって、各論理チャネルは、第１の組の周波数帯域のサブセット中を周波数ホッピングするための対応するホッピングシーケンスを用いるものである、ステップと、（３）サブサイクルの各々において、当該サブサイクルのために選択された論理チャネルを使用して、第１の通信プロトコルに従って第１のワイヤレス装置から信号を送信するステップと、（４）複数の時間サイクルにわたってステップ（１）乃至（３）を繰り返すステップと、を含む。各時間サイクルにおいて、周波数帯域の第２の組の少なくとも一部と重なる第１の組の周波数帯域の各々は、サブサイクルの少なくとも１つにおいて選択される論理チャネルの少なくとも１つによって用いられるホッピングシーケンスの少なくとも１つにおいて、除外される。
【００１２】
本発明の別の見地において、第１のワイヤレス装置は、少なくとも周波数帯域の第１の組において第１の通信プロトコルに従って通信するように適応され、前記第１の組の周波数帯域の１又は複数は、第２のワイヤレス装置が第２の通信プロトコルに従って通信する１又は複数の周波数帯域の第２の組の少なくとも一部と重なる。第１のワイヤレス装置は、受信器と、送信器と、ワイヤレス受信器及びワイヤレス送信器に動作可能に接続される少なくとも１つのアンテナと、を有する。ワイヤレス装置は、（１）時間サイクルを複数のサブサイクルに分ける処理であって、各サブサイクルは、第２のワイヤレス装置が第２の通信プロトコルに従って第１の信号を受け取り、第２の通信プロトコルに従って第２の信号を送信するのに十分な長い期間を有する、処理と、（２）サブサイクルの各々において、第１のワイヤレス装置に利用可能な複数の論理チャネルのうち１つを選択する処理であって、各論理チャネルは、第１の組の周波数帯域のサブセット中を周波数ホッピングするための対応するホッピングシーケンスを用いるものである、処理と、（３）サブサイクルの各々において、当該サブサイクルのために選択された論理チャネルを使用して、第１の通信プロトコルに従って信号を送信する処理と、（４）複数の時間サイクルにわたって、ステップ（１）乃至（３）を繰り返す処理と、を行う。各時間サイクルにおいて、周波数帯域の第２の組の少なくとも一部と重なる第１の組の周波数帯域の各々は、サブサイクルの少なくとも１つにおいて選択される論理チャネルの少なくとも１つによって用いられるホッピングシーケンスの少なくとも１つにおいて除外される。
【図面の簡単な説明】
【００１３】
【図１】ウルトラワイドバンド（ＵＷＢ）送信におけるサイレント期間を示す図。
【図２】ワイヤレス装置の一実施例の機能ブロック図。
【図３】３―４ＧＨｚ周波数スペクトルにおけるＷｉＭａｘ及びＷｉＭｅｄｉａ  ＵＷＢ信号のチャネライゼーションを示す図。
【図４】第１の通信プロトコルに従って動作するワイヤレス装置の検出及び回避（ＤＡＡ）時間サイクルの一実施例を示す図。
【図５】第１の通信プロトコルに従って動作するワイヤレス装置のデュアルドメインサイレント期間の例示的実施例を示す図。
【図６】近傍にある保護される通信装置の存在を検出するためのサイレント期間を提供する通信方法を示すフローチャート。
【発明を実施するための形態】
【００１４】
図２は、ワイヤレス装置１００の機能ブロック図である。当業者であれば分かるように、図２に示されるさまざまな「部分」の１又は複数は、ソフトウェア制御されるマイクロプロセッサ、ハードワイヤード論理回路又はその組み合わせを使用して、物理的に実現されることができる。更に、それら部分は、説明の目的のために図２において機能的に分離されているが、それらは任意の物理的実現においてさまざまに組み合わせられることができる。
【００１５】
ワイヤレス装置２００は、トランシーバ２１０、プロセッサ２２０、メモリ２３０及びアンテナシステム２４０を有する。
【００１６】
トランシーバ２１０は、受信器２１２及び送信器２１４を有し、ワイヤレス通信ネットワークの標準プロトコルに従ってワイヤレス通信ネットワーク内の他のワイヤレス装置と通信するための機能をワイヤレス装置２００に与える。例えば、一実施例において、ワイヤレス装置２００は、ＷｉＭｅｄｉａ仕様による通信プロトコルを使用して動作するように適応されるＵＷＢワイヤレス装置である。
【００１７】
プロセッサ２２０は、ワイヤレス装置２００の機能を提供するために、メモリ２３０と協働して１又は複数のソフトウェアアルゴリズムを実行するように構成される。有利には、プロセッサ２２０は、それがワイヤレス装置２００のさまざまな機能を実施することを可能にする実行可能ソフトウェアコードを記憶するためのそれ自体のメモリ（例えば不揮発性メモリ）を有する。代替例として、実行可能なコードは、メモリ２３０内の指定されたメモリ位置に記憶されることもできる。
【００１８】
図２において、一実施例において、アンテナシステム２４０は、複数の方向において他のワイヤレス装置と通信するために複数のアンテナビームから選択する能力をワイヤレス装置２００に与える指向性アンテナシステムでありうる。一実施例において、指向性アンテナシステム２４０は、各々が１つのアンテナビームに対応する複数のアンテナを有する。別の実施例において、指向性アンテナシステム２４９は、複数の異なる方向にビームを形成するために、複数の異なるアンテナ素子を組み合わせることができる可動アンテナを有する。
【００１９】
以下に続く考察において、ＷｉＭｅｄｉａ通信プロトコルに従って動作するＵＷＢワイヤレス装置の近傍にある保護されるＷｉＭａｘ通信装置の存在を検出するためのサイレント期間を提供する方法の例示的実施例が、記述されている。この具体例は、説明の目的で与えられており、この明細書の教示又は請求項の範囲を制限するものとして解釈されるべきではない。
【００２０】
図３は、３―４ＧＨｚ周波数スペクトルのＷｉＭａｘ及びＷｉＭｅｄｉａ  ＵＷＢ信号のチャネライゼーションを示している。
【００２１】
ＷｉＭａｘ用の現在の周波数スペクトル割り当ては、２００ＭＨｚの帯域幅を有する周波数帯域３１０を提供する（すなわち、３．４―３．６ＧＨｚから帯域「Ａ」３１０―１、３．６―３．８ＧＨｚから帯域「Ｂ」３１０―２）。更に、最終的な将来の帯域幅拡張が、同様に２００ＭＨｚステップ（３．８―４．０ＧＨｚから帯域「Ｃ」３１０―３、４―４．２ＧＨｚから帯域「Ｄ」３１０―４、その他）で与えられることができることが期待される（及び望まれる）。
【００２２】
一方、ＷｉＭｅｄｉａ通信プロトコルを用いるＵＷＢワイヤレス装置は、帯域グループ１において動作することができ、帯域グループ１は、３．１６８ＧＨｚから４．７５２ＧＨｚまでをスパンする３つの５２８ＭＨｚ周波数帯域３２０―１乃至３２０―３（帯域１、帯域２及び帯域３）を含む。
【００２３】
更に、ＷｉＭｅｄｉａラジオプロトコルに従って通信するＵＷＢワイヤレス装置は、６５，５３５μｓｅｃ又は約６５ミリ秒のスーパーフレームに基づいて動作する。各スーパーフレームの最中、ＵＷＢワイヤレス装置は、約３１２．５ナノ秒のシンボル期間を各々が有する直交周波数分割多重化シンボル（ＯＦＤＭ）を送信する。
【００２４】
一実施例において、ＵＷＢワイヤレス装置は、予め規定されたホッピングシーケンスに従って、周波数帯域１、帯域２及び帯域３の間を各シンボル期間ごとに周波数ホッピングすることができる。その場合、各々の予め規定されたホッピングシーケンスは、ＵＷＢワイヤレス装置のための動作の論理チャネルを規定する。以下の表１は、利用可能な論理チャネル及びそれらの対応するホッピングシーケンスを列挙する。
【表１】
2010512706.tif 000003
【００２５】
表１に示すように、論理チャネルの各々は、帯域グループ１内の周波数帯域の帯域１、帯域２及び帯域３のサブセット中を周波数ホッピングするための対応するホッピングシーケンスを用いる。
【００２６】
図３から、ＵＷＢワイヤレス装置が、十分長い時間期間（例えば２５０―３００ミリ秒）の間、帯域１での送信を回避する場合、帯域Ａ（３．４―３．６ＧＨｚ）で動作する任意の近傍のＷｉＭａｘ加入者装置は、ＷｉＭａｘ基地局からのダウンリンク信号を「聞き」、近傍のＵＷＢ装置によって検出されることができるアップリンク信号を送信するのに充分な時間を有することが分かるであろう。すなわち、ＵＷＢワイヤレス装置が、十分に長い時間期間（例えば２５０―３００ミリ秒）の間、帯域１での送信を回避する場合、それは、帯域Ａで動作する任意のＷｉＭａｘ加入者装置について検出及び回避（ＤＡＡ）を実施することができる。同様に、ＵＷＢワイヤレス装置が、十分長い時間期間（例えば２５０―３００ミリ秒）の間、帯域２での送信を回避する場合、ＤＡＡが、帯域Ｂ、Ｃ又はＤで動作する任意の近傍のＷｉＭａｘ加入者装置について実施されることができる。
【００２７】
このために、デュアルドメイン（例えば時間ドメイン及び周波数ドメイン）のサイレント期間構成が、図４―図６に関して後述されるように、提供される。
【００２８】
まず、図４は、ＷｉＭｅｄｉａ通信プロトコルに従って動作するＵＷＢ装置のための検出及び回避（ＤＡＡ）時間サイクル４００の一実施例を示している。
【００２９】
図４において、各時間サイクル４００は、複数のサブサイクル４１０に分けられることが分かる。次に、各サブサイクル４１０は、Ｎ個のスーパーフレームを有する。少なくとも２５０〜３００ミリ秒のサイレント期間を与える要求に基づき、また、約６５ミリ秒のスーパーフレーム期間が与えられるとすると、１つの例示的実施例において、Ｎ＝５である。しかしながら、他の実施例において、Ｎは、別の整数値でありうる。更に、約９００ミリ秒ごとに繰り返すサイレント期間をＷｉＭａｘ加入者装置に与えるために、各時間サイクル４１０の総期間が約９７５ミリ秒であるように、各ＤＡＡ時間サイクルは、各々のＮ＝５スーパーフレームの３つのサブサイクル４１０を有する。当然ながら、時間サイクル４００の期間、サブサイクル４１０の期間及び各時間サイクル４００内のサブサイクル４１０の数は、任意の特定の状況にユニークな利点を与えるように調整されることができる。
【００３０】
ＵＷＢワイヤレス装置は、こうして、各時間サイクルが複数のサブサイクルを更に有する一連の繰り返しの時間サイクル４００にわたって送信を行う。
【００３１】
図４の時間サイクル４００及び表１の論理チャネルが与えられるとすると、デュアルドメインサイレント期間が、以下のように与えられる。
【００３２】
図５は、ＵＷＢワイヤレス装置のためのデュアルドメインサイレント期間５００の例示的な実施例を示している。デュアルドメインサイレント期間５００は、任意のＵＷＢワイヤレス装置の近傍において図３の周波数帯域Ａ−Ｄのいずれかで動作する任意のＷｉＭａｘ加入者装置が、ＷｉＭａｘ基地局からダウンリンク信号を「聞き」、その近傍のＵＷＢ装置によって検出されることができるアップリンク信号を送信するに十分な時間を有することを確実にする時間サイクル、サブサイクル及び論理チャネルの構成を有する。
【００３３】
具体的には、デュアルドメインサイレント期間５００は、ＵＷＢワイヤレス装置が表１の論理チャネルのいずれかを使用して送信することができる第１のサブサイクル５１０―１と、ＵＷＢワイヤレス装置が表１の論理チャネル６、７及び１０を使用してのみ送信することができる第２のサブサイクル５１０―２と、ＵＷＢワイヤレス装置が表１の論理チャネル５、７及び９を使用してのみ送信することができる第３のサブサイクル５１０―３と、を含む。この構成によって、特定のＷｉＭａｘ加入者装置は、それが周波数帯域Ａ−Ｄのうちのどこで動作しようとも、９７０ミリ秒の期間ごとに約３２５ミリ秒のサイレント期間を常に経験し、従って、それは、ＷｉＭａｘからのダウンリンク信号を「聞くことができ」、近傍のＵＷＢ装置によって検出されることができるアップリンク信号を送信することができる。例えば、３４００―３６９６ＭＨｚからの周波数で動作する任意のＷｉＭａｘ加入者装置は、サブサイクル５１０―２の間、その近傍のすべてのＷｉＭｅｄｉａ装置が周波数帯域２及び／又は周波数帯域３のみを含む論理チャネルで動作するサイレント期間を経験する。同様に、３６９６―４２００ＭＨｚからの周波数で動作する任意のＷｉＭａｘ加入者装置は、サブサイクル５１０―３の間、その近傍のすべてのＷｉＭｅｄｉａ装置が周波数帯域１及び／又は周波数帯域３のみを含む論理チャネルで動作するサイレント期間を経験する。
【００３４】
上述した例において、論理チャネル５、７及び９のいずれかが、サブサイクル５１０―３の間、使用されうるが、論理チャネル９が好適でありうる。例えば、ＵＷＢワイヤレス装置が、論理チャネル５及び７の場合のように、ただ１つの周波数帯域で送信し、ホッピングしない場合、最大許容送信パワーは、規制の制限のため（例えば５０％まで）実質的に低下されなければならないことがある。一実施例において、ＵＷＢワイヤレス装置は、各サブサイクルごとに、利用可能な論理チャネルのうち、最も多くの周波数帯域の間をホッピングするホッピングシーケンスを用いる論理チャネルを選択する。
【００３５】
３つのサブサイクル５１０―１乃至５１０―３及びそれらの対応する論理チャネルの構成の順序は、任意の順序に切り替えられることができることを理解すべきである（例えば、サブサイクル５１０―２は、論理チャネル５、７及び９に対応してもよく、サブサイクル５１０―３は、論理チャネル６、７及び１０に対応してもよい）。
【００３６】
上述の例において、ＵＷＢワイヤレス装置のための周波数帯域１及び２のみが、ＷｉＭａｘ加入者装置が動作しうる周波数帯域Ａ−Ｄと重なり、周波数帯域３は、ＷｉＭａｘ加入者装置が動作しうる周波数帯域Ａ−Ｄのいずれとも重ならないことが分かる。こうして、この例においては、デュアルドメインサイレント期間５００が、周波数帯域１及び２において２５０―３００ミリ秒のクワイエット時間を提供することのみが要求される。従って、表１の利用可能な論理チャネルの任意のものが、第１のサブサイクル５１０―１において使用されることができ、周波数帯域１及び２のためのクワイエット時間は、サブサイクル５１０―２及び５１０―３において提供されることができる。
【００３７】
しかしながら、周波数帯域３が、ＷｉＭａｘ加入者装置が動作しうる任意の周波数帯域と重なっている場合、デュアルドメインサイレント期間５００は、第１のサブサイクル５１０―１において、ＵＷＢワイヤレス装置が、論理チャネル５、６及び８を使用してのみ送信することができ、それによって、周波数帯域３のためのクワイエット時間を提供するように、修正されることができる。
【００３８】
上述される方法は、３４００〜４２００ＭＨｚの周波数スペクトルで動作するＷｉＭａｘ加入者装置が、９７５ｍｓ毎に３２５ｍｓのサイレント期間を与えられることを確実にする。従って、ＷｉＭａｘ加入者装置は、無視できるほどの「エントリ」遅延をともなってＷｉＭａｘ基地局とのアップリンクデータ送信を確立することができる。更に、有利には、ＵＷＢ装置は、所定の時間に特定の周波数においてのみサイレントであるので、このような長いサイレント期間であっても、ＵＷＢ装置のビーコン又はデータ送信に影響を及ぼすことはない。
【００３９】
上述の例は、異なる通信プロトコルに従って、異なる数の周波数帯域において、異なるクワイエット期間要求、その他によって動作する異なる装置についても推定されることができる。
【００４０】
概して、デュアルドメインサイレント期間は、以下のように適用されることができる。少なくとも周波数帯域の第１の組において第１の通信プロトコルに従って動作する第１のワイヤレス装置、及び少なくとも周波数帯域の第２の組において第２の通信プロトコルに従って動作する第２のワイヤレス装置について検討する。かかる第１の組の周波数帯域の１又は複数は、周波数帯域の第２の組の少なくとも一部と重なっている。この場合、デュアルドメインサイレント期間は、各時間サイクルにおいて、周波数帯域の第２の組の少なくとも一部と重なる第１の組の周波数帯域の各々が、サブサイクルの少なくとも１つにおいて選択される論理チャネルの少なくとも１つによって用いられるホッピングシーケンスの少なくとも１つにおいて除外されるように、構成されなければならない。これは、さまざまなやり方で達成されることができる。一実施例において、各サブサイクルにおいて、選択された論理チャネルは、第１の組の周波数帯域の少なくとも１つを除外するホッピングシーケンスを用いる。他の実施例において、各サブサイクルにおいて、選択された論理チャネルは、第１の組の周波数帯域の対応するものを除外するホッピングシーケンスを用いる。更に別の実施例において、各時間サイクルを通じて、第１の組の周波数帯域の各々は、サブサイクルの少なくとも１つにおいて選択される論理チャネルの少なくとも１つによって用いられるホッピングシーケンスの少なくとも１つにおいて除外される。他の構成が、第１の組の周波数帯域と第２の組の周波数帯域との間の重なりの性質に依存して、可能である。
【００４１】
図６は、少なくとも周波数帯域の第１の組において第１の通信プロトコルに従って動作する第１のワイヤレス装置のための通信方法６００であって、第２の（保護される又は既存の）ワイヤレス装置が、少なくとも周波数帯域の第２の組において第２の通信プロトコルに従って動作し、第１の組の周波数帯域の１又は複数が、周波数帯域の第２の組の少なくとも一部と重なっている、方法のフローチャートである。方法は、第１のワイヤレス装置が近傍の第２のワイヤレス装置の存在を検出するためのサイレント期間を提供する。
【００４２】
第１のステップ６１０において、時間サイクルは、複数のサブサイクルに分けられる。各サブサイクルは、第２のワイヤレス装置が第２の通信プロトコルに従って第１の信号を受信し、第２の通信プロトコルに従って第２の信号を送信するに十分長い期間を有する。第１のワイヤレス装置は、第２の信号を検出することができ、それにより第２のワイヤレス装置の存在を検出することができる。
【００４３】
ステップ６２０において、サブサイクルの各々において、第１のワイヤレス装置は、第１のワイヤレス装置に利用可能な複数の論理チャネルのうち１つを選択する。各論理チャネルは、第１の組の周波数帯域のサブセット中を周波数ホッピングするための対応するホッピングシーケンスを用いる。各時間サイクルにおいて、周波数帯域の第２の組の少なくとも一部と重なる第１の組の周波数帯域の各々は、サブサイクルの少なくとも１つにおいて選択される論理チャネルの少なくとも１つによって用いられるホッピングシーケンスの少なくとも１つにおいて、除外される。これは、第１の装置の近傍の第２の装置のいかなるものをも検出するためのデュアルドメインサイレント期間を提供する。
【００４４】
ステップ６３０において、第１のワイヤレス装置は、サブサイクルの各々において、当該サブサイクルのために選択された論理チャネルを使用して、第１の通信プロトコルに従って信号を送信する。
【００４５】
第１のワイヤレス装置がデータを送信することを望む限り、ステップ６１０乃至６３０が、複数の時間サイクルにわたって繰り返される。
【００４６】
好適な実施例が、本願明細書に開示されているが、本発明の概念及び範囲内にある多くの変更が可能である。このような変更は、明細書、図面及び特許請求の範囲の精査した後、当業者に明らかになるであろう。従って、本発明は、特許請求の範囲の精神及び範囲内にあることを除いて、制限されるべきでない。
【図１】
2010512706.tif 000006
【図２】
2010512706.tif 000007
【図３】
2010512706.tif 000008
【図４】
2010512706.tif 000009
【図５】
2010512706.tif 000010
【図６】
2010512706.tif 000011
【国際調査報告】
2010512706.tif 000012
2010512706.tif 000013